(57)【要約】【課題】メインボードにそれら本来の筆記等の機能の他に、電子ボードや映写スクリーン等のインタラクティブボード機能を併有させて多機能化する作業を、壁面固定型メインボード自体には何ら手を加えることなく、容易且つ迅速に行うことができるインタラクティブボード化方法を提供することを課題とする。【解決手段】メインボード１の外側に位置させて、メインボード１の上辺及び下辺に沿うようにガイドレール５、６を設置する工程と、ガイドレール５、６間に、横方向にスライド可能にスライド枠９を配備する工程と、スライド枠９をガイドレール５、６間に配備する前に又は配備した後に、スライド枠９に、インタラクティブ機能及び／又はテレビ機能を有するサブボード２０を取り付ける工程とから成る。【選択図】図１
2011156838.tif 000002
【特許請求の範囲】
【請求項１】
筆記機能又は掲示機能を有する壁面固定型のメインボードにインタラクティブボード機能及び／又はテレビ機能を付加するための方法であって、
前記メインボードの外側に位置させて、前記メインボードの上辺及び下辺に沿うようにガイドレールを設置する工程と、前記上下のガイドレール間に、横方向にスライド可能にスライド枠を配備する工程と、前記スライド枠を前記上下のガイドレール間に配備する前に又は配備した後に、前記スライド枠に、インタラクティブボード機能及び／又はテレビ機能を有するサブボードを取り付ける工程とから成ることを特徴とするインタラクティブボード化方法。
【請求項２】
前記ガイドレールは、前記メインボードを固定した面に設置する、請求項１に記載のインタラクティブボード化方法。
【請求項３】
前記ガイドレールは、前記メインボードの少し手前側の天井と床面とに設置する、請求項１に記載のインタラクティブボード化方法。
【請求項４】
前記スライド枠に、前記上下のガイドレールに転動又は摺動可能に係合するレール係動手段を設置し、前記サブボードを前記スライド枠に取り付けることにより、前記サブボードを前記主フレームに対してスライド可能にする、請求項１乃至３のいずれかに記載のインタラクティブボード化方法。
【請求項５】
前記スライド枠は、端部に前記レール係動手段を備えていて前記上下のガイドレール間に渡される１又は複数の縦杆を有する、請求項４に記載のインタラクティブボード化方法。
【請求項６】
前記スライド枠は、前記複数の縦杆を連結する連結杆又は連結板を備える、請求項５に記載のインタラクティブボード化方法。
【請求項７】
前記スライド枠の縦杆は後方延長杆を備え、前記後方延長杆の端部に前記レール係動手段が設置される、請求項５又は６に記載のインタラクティブボード化方法。
【請求項８】
前記上下のガイドレールは基枠材を介して設置される、請求項１に記載のインタラクティブボード化方法。
【請求項９】
前記基枠材の一方又は双方に、配線を通すための切欠きが貫設される、請求項８に記載のインタラクティブボード化方法。
【請求項１０】
前記基枠材は、前記メインボードの厚みよりも高くされる、請求項８又は９に記載のインタラクティブボード化方法。
【請求項１１】
前記メインボードは、平面ボードの他に少なくともＵＤ式ボード、上下スライド式ボード、左右引分け式ボード、曲面又は半曲面ボードを含む、請求項１乃至１０のいずれかに記載のインタラクティブボード化方法。
【請求項１２】
前記サブボードは、電子ボード機能、スクリーン機能、テレビ機能、コンピュータ・ディスプレイ機能のうちの少なくとも１つの機能を有する、請求項１乃至１１のいずれかに記載のインタラクティブボード化方法。
【請求項１３】
前記サブボード、スライド枠、上側のガイドレール、メインボード、メインボード固定面のいずれかにプロジェクターを設置可能にする、請求項１乃至１２のいずれかに記載のインタラクティブボード化方法。
【請求項１４】
前記プロジェクターは、ホワイトボードレコーダ機能を有する、請求項１３に記載のインタラクティブボード化方法。
【請求項１５】
前記サブボードのボード面又は枠部分に、ホワイトボードレコーダを配置する、請求項１乃至１３のいずれかに記載のインタラクティブボード化方法。
【請求項１６】
前記サブボードは大型液晶テレビ又はプラズマテレビである、請求項１２に記載のインタラクティブボード化方法。
【発明の詳細な説明】
【技術分野】
【０００１】
本発明はインタラクティブボード化方法に関するものであり、より詳細には、学校等の教育機関や関連施設、あるいは、一般企業等で使用されるものであって、主に、既設の黒板やホワイトボード等の壁面固定型ボードに対し、それら本来の筆記機能や掲示機能の他に、所謂インタラクティブボードとしての機能及び／又はテレビ機能を付加するためのインタラクティブボード化方法に関するものである。
【背景技術】
【０００２】
世界の情報化社会の発展進化に伴い、学校などの教育現場や企業の研修室等での表現形式として用いられてきた、チョーク書き込み式黒板やマーカー書き込み式白板（ホワイトボード）等の旧来の形態から、情報の表現方式に対する時代の要求として電子黒板（電子ボード）による表現方式の要求の高まりが強くなってきており、プロジェクターの使用も常態化してきている。また、最近では、５０インチサイズの大画面薄型テレビや、薄型テレビ形式のディスプレーを用いた、パソコンやＤＶＤ等の映像を表示する、所謂インタラクティブボードと称されるタイプの電子ボードが普及しつつある。
【０００３】
しかるに、このインタラクティブボードと共に、既設の黒板やホワイトボードをそのまま使用したいとの要請も少なくない。その場合、インタラクティブボードとしての電子ボードや映写用スクリーンをその都度配備することは、手間がかかって面倒なだけでなく、スペース的に制約を受けることも少なくない。また、電子ボードやスクリーンと黒板等とが離れていると、電子ボードやスクリーンにおける映写事項と黒板等における筆記事項との対比参照等に不便を感じることになる。
【０００４】
そこで、予め黒板やホワイトボード等の壁面固定型ボードに、インタラクティブボードの機能を付加することが考えられる。例えば、特許文献１乃至３においては、既設の壁面固定型ボードの上下枠の正面又は上枠背面に沿ってレールを配設し、電子ボードやスクリーン等の機能を有するボードを当該レールに沿ってスライド可能に設置することにより、電子ボードやスクリーン等の機能を付加することが提案されている。
【０００５】
しかし、このような方法で施工する場合、壁面固定型ボードが既設の場合には、その施工や修理等に際してその都度ボード自体、あるいは、レールを取り外さなければならない煩わしさがあり、修理工事に手間とコストとがかかり、また、既設の壁面固定型ボードがＵＤ式、上げ下げ式又は引き分け式の場合、あるいは、曲面式又は半曲面式の場合には施工し得ない場合が多いという問題がある。
【先行技術文献】
【特許文献】
【０００６】
【特許文献１】特開２００９−１１３４４６号公報
【特許文献２】特開２００９−１１３４４９号公報
【特許文献３】特開２００９−１１９６６３号公報
【発明の概要】
【発明が解決しようとする課題】
【０００７】
本発明は、上記背景の下になされたもので、主に、既設の黒板やホワイトボード等の壁面固定式ボードに対し、その種類を問わず、それら本来の筆記等の機能以外のインタラクティブボード機能を併有させる作業を、当該壁面固定式ボード自体には何ら手を加えることなく、容易且つ迅速に行うことができ、以て、当該壁面固定式ボードにそれら本来の筆記機能や掲示機能等の他に、電子ボードや映写スクリーン等のインタラクティブボードとしての機能をも併有させてインタラクティブボード化できるインタラクティブボード化方法を提供することを課題とする。
【課題を解決するための手段】
【０００８】
上記課題を解決するための請求項１に記載の発明は、筆記機能又は掲示機能を有する壁面固定型のメインボードにインタラクティブボード機能及び／又はテレビ機能を付加するための方法であって、前記メインボードの外側に位置させて、前記メインボードの上辺及び下辺に沿うようにガイドレールを設置する工程と、前記上下のガイドレール間に、横方向にスライド可能にスライド枠を配備する工程と、前記スライド枠を前記上下のガイドレール間に配備する前に又は配備した後に、前記スライド枠に、インタラクティブボード機能及び／又はテレビ機能を有するサブボードを取り付ける工程とから成るインタラクティブボード化方法である。
【０００９】
一実施形態においては、前記ガイドレールは、前記メインボードが設置される面に配置することとし、他の実施形態においては、前記ガイドレールは、前記メインボードの少し手前側の天井と床面とに配置する。そして、前記スライド枠に、前記上下のガイドレールに転動又は摺動可能に係合するレール係動手段を設置し、前記サブボードを前記スライド枠に取り付けることにより、前記サブボードを前記主フレームに対してスライド可能にする。
【００１０】
一実施形態においては、前記スライド枠は、端部に前記レール係動手段を備えていて前記上下のガイドレール間に渡される１又は複数の縦杆を有するものとし、また、前記スライド枠は、前記複数の縦杆を連結する連結杆又は連結板を備えるものとする。前記スライド枠の縦杆に後方に延びる後方延長杆を設け、前記後方延長杆の端部に前記レール係動手段を設置することがある。
【００１１】
一実施形態においては、前記上下のガイドレールの設置を壁面、天井又は床面に固定される基枠材を介して行うことがある。その場合、前記基枠材の一方又は双方に、配線を通すための切欠きを貫設することがあり、また、前記基枠材を、前記メインボードの厚みよりも高くすることがある。
【００１２】
前記メインボードには、平面ボードの他に少なくともＵＤ式ボード、上下スライド式ボード、左右引分け式ボード、曲面又は半曲面ボードが含まれ、また、前記サブボードは、電子ボード機能、スクリーン機能、テレビ機能、コンピュータ・ディスプレイ機能のうちの少なくとも１つの機能を有するものとされる。
【００１３】
更に一実施形態においては、前記サブボード、スライド枠、上側のガイドレール、メインボード、メインボード固定面のいずれかにプロジェクターを設置可能にする。前記プロジェクターは、ホワイトボードレコーダ機能を有するものとすることができる。また、前記サブボードのボード面又は枠部分に、ホワイトボードレコーダを配置することもある。
【発明の効果】
【００１４】
本発明は上記のとおり、メインボードの外側に位置させて、メインボードの上辺及び下辺に沿うようにガイドレールを配置する工程と、上下のガイドレール間に、横方向にスライド可能にスライド枠を渡す工程と、スライド枠に、スライド枠を上下のガイドレール間に渡す前に又は渡した後に、インタラクティブボード機能及び／又はテレビ機能を有するサブボードを取り付ける工程とから成るので、本発明に係る方法によれば、既設の黒板やホワイトボード等のメインボードに対し、それら本来の筆記等の機能以外のインタラクティブボード機能及び／又はテレビ機能を併有させる作業を、当該メインボード自体には何ら手を加えることなく、容易且つ迅速に行うことができ、当該メインボードにそれら本来の筆記等の機能の他に、電子ボードやスクリーン等のインタラクティブボード機能及び／又はテレビ機能を付加して、直ちに使用可能にする効果がある。
【００１５】
また、付加するサブボードとして、電子ボード機能、映写スクリーン機能、テレビ機能、コンピュータ・ディスプレイ機能のうちの少なくとも１つの機能を有するものとすることができ、更に、本発明に係る方法は、メインボードが単なる平面ボードの場合のみならず、ＵＤ式ボード、上下スライド式ボード、左右引分け式ボード、曲面又は半曲面ボード、その他各種のボードに対しても適用可能なる効果がある。
【図面の簡単な説明】
【００１６】
【図１】本発明に係るインタラクティブボード化方法の一実施形態を説明するための正面図である。
【図２】本発明に係るインタラクティブボード化方法において用いるスライド枠の構成例を示す正面図である。
【図３】図１におけるＡ−Ａ線断面図である。
【図４】図１におけるＢ−Ｂ線断面図である。
【図５】本発明に係るインタラクティブボード化方法の他の実施形態を説明するための縦断面図である。
【図６】本発明に係るインタラクティブボード化方法の更に他の実施形態を説明するための平面図である。
【図７】本発明に係るインタラクティブボード化方法の更に他の実施形態を説明するための平面図である。
【図８】図７におけるＣ−Ｃ線断面図である。
【図９】本発明に係るインタラクティブボード化方法の他の実施形態を説明するための縦断面図である。
【発明を実施するための形態】
【００１７】
本発明は、筆記機能又は掲示機能を有する壁面固定型のメインボードにインタラクティブボード機能及び／又はテレビ機能を付加するためのインタラクティブボード化方法であって、添付の図面は、本発明に係る方法を実施するための形態を示すものである。以下に、本発明を実施するための種々の形態について、添付図面を参照しつつ詳細に説明する。
【００１８】
本発明に係るインタラクティブボード化方法は、メインボード１の上辺及び下辺に沿うように、メインボードの外側にガイドレール５、６を配置する第一工程と、上側のガイドレール５と下側のガイドレール６との間に、横方向にスライド可能にスライド枠９を渡す第二工程と、スライド枠９に、スライド枠９を上下のガイドレール５、６間に渡す前に又は渡した後に、インタラクティブボード機能及び／又はテレビ機能を有するサブボード２０を取り付ける第三工程とから成る。
【００１９】
上記のとおり本発明に係る方法では、その第一工程において、施工対象となる黒板、ホワイトボード、電子ボード、スクリーン、掲示板等の機能を有する壁面固定型のメインボード１に対し、そのメインボード１の上辺及び下辺に沿うように、その外側にガイドレール５、６を配置する。その場合、ガイドレール５、６は、メインボード１が設置される壁面３１等に固定設置される場合（図１乃至図８参照）と、メインボード１の少し手前側の天井３２と床面３３とに固定設置する場合（図９参照）とがある。
【００２０】
施工対象となるメインボード１は既設のものである場合が多いが、新設の場合であってもよいことは言うまでもない。また、後述するように本発明に係る方法は、メインボード１が単なる平面ボードの場合のみならず、ＵＤ式ボード、上下スライド式ボード、左右引分け式ボード、曲面又は半曲面ボードその他各種ボードに適用可能である。
【００２１】
ガイドレール５、６は、例えば、アルミ枠で構成することができ、壁面３１、あるいは、天井３２と床面３３とに直接設置することとしてもよいが、通例、金属製（図３、４）又は木製（図５、８、９）の基枠材３、４を介して設置することとする。その場合ガイドレール５、６は、予め基枠材３、４に取り付けておいてもよいが、基枠材３、４をネジ止め、釘止め等の方法で、壁面３１、あるいは、天井３２と床面３３に固定した後に、基枠材３、４に設置することとしてもよい。
【００２２】
そして、特に壁面３１に設置する場合は、基枠材３、４の一方又は双方に、縦方向に抜けて、電気コード、ビデオケーブル、ＵＳＢケーブル等の配線類を取りまとめて挿通支持する切欠き１９を貫設することが好ましい（図５参照）。
【００２３】
本発明に係る方法の第二工程は、上側のガイドレール５と下側のガイドレール６との間に、横方向にスライド可能にスライド枠９を渡す工程である。スライド枠９は、例えば、四角形、Ｈ字形状等の、一対の縦杆１０、１１と、縦杆１０、１１を連結する１又は複数の連結杆１２（あるいは、連結板１２ａ）とから成るもので、その縦杆１０、１１の上下端部にそれぞれ、ガイドレール５、６に沿って転動又は摺動可能に係合するレール係動手段７、８を設置する（図２参照）。
【００２４】
スライド枠９は、後述する第三工程においてサブボード２０を取り付けて、サブボード２０をスライド可能にするためのものであるので、サブボード２０を安定状態に支持してスライドさせるために、縦杆１０、１１は複数であることが好ましいが、ある程度の幅がある縦枠を用いることとすれば、単一であっても差し支えない。
【００２５】
また、言うまでもなく連結杆１２（あるいは、連結板１２ａ）は、縦杆１０、１１を連結して、スライド枠９全体がガイドレール５、６に沿って一体に移動するようにする役目を果たすものであるが、この連結杆１２（あるいは、連結板１２ａ）を省略し、サブボード２０を直接縦杆１０、１１に固定することとして、サブボード２０に連結杆１２（あるいは、連結板１２ａ）の役目を果たさせるようにすることもできる。
【００２６】
ガイドレール５、６とこれに対するレール係動手段７、８の組合わせは種々考えられるが、一般的な組合わせとしては、ガイドレール５、６を断面角Ｃ字型にし、レール係動手段７、８を転動ホイール１５とし、転動ホイール１５をガイドレール５、６に係合させることが考えられる（図３〜５、８、９参照）。その場合転動ホイール１５は、サブボード２０の安定移動のために、１つのホイール軸１６に対して、移動方向に一対配置することが好ましい（図２参照）。また、必要に応じ、ホイール軸１６は屈曲自在にする。
【００２７】
レール係動手段７、８は、後述する図９に示す実施形態の場合を除き、縦杆１０、１１の上下端部を後方水平方向に延長して設けた後方延長杆１３、１４に設置することとする（図３参照）。このようにレール係動手段７、８を後方延長杆１３、１４を介して設置するのは、スライド枠９をメインボード１から離隔させて、スライド枠９がメインボード１に接触しないようにするためである。従って、後方延長杆１３、１４は、メインボード１が平面ボードの場合よりも、メインボード１がＵＤ式ボードの場合、上下スライド式ボードの場合（図５参照）、左右引分け式ボードの場合、あるいは、曲面又は半曲面ボードの場合（図６〜８参照）の方が長いものとなる。
【００２８】
上述した例は、ガイドレール５、６を壁面３１に直接又は基枠材３、４を介して設置するものであるが、ガイドレール５、６を壁面３１から離して設置することもある。そのようにするためには、基枠材３、４をメインボード１の厚みを超える高さのものとすればよい（図７、８参照）。その場合の基枠材３、４は、図７に示されるような一連の板状のものであってもよいが、複数の脚状のものであってもよい。また、この構成の場合、後方延長杆１３、１４はごく短いもので足り、あるいは、省略することもできる。
【００２９】
また、ガイドレール５、６を、メインボード１の少し手前側の天井３２と床面３３とに固定設置する場合（図９参照）は、スライド枠９はメインボード１の手前側に離隔することになるので、スライド枠９がメインボード１に接触することはない。従って、この場合は、後方延長杆１３、１４を設ける必要はない。
【００３０】
本発明に係る方法の第三工程は、スライド枠９を上下のガイドレール５、６間に渡す前に又は渡した後に、スライド枠９に、インタラクティブボード機能及び／又はテレビ機能を有するサブボード２０を取り付ける工程である。サブボード２０の連結杆１２（あるいは、連結板１２ａ又は縦杆１０、１１）への取り付けは、適宜公知の引掛け手段を用いたり、ボルトやネジを用いたりして行う。  
【００３１】
普通、サブボード２０はメインボード１よりも小さいサイズであって、プロジェクターを付設しての電子ボード機能やスクリーン機能、デジタルテレビ用チューナーを付設してのテレビ機能、パソコンを付設してのコンピュータ・ディスプレイ機能等のインタラクティブボード機能を有するものとする。あるいは、大型の液晶テレビ又はプラズマテレビそのものであってもよい。
【００３２】
一実施形態においては、サブボード２０及び／又はメインボード１がプロジェクター等の映写スクリーンとして利用される。メインボード１をプロジェクター用スクリーンとして利用する場合は、通例、プロジェクター２１は、直接又はプロジェクター取付用アーム２２を介して、メインボード１の上部や壁面３１等に固定的に設置される。
【００３３】
一方、サブボード２０をプロジェクター用スクリーンとして利用する場合は、プロジェクター２１は、サブボード２０の動きに追随して移動するように設置することが好ましい。そのようにするためには、例えば、プロジェクター２１をサブボード２０の上部やスライド枠９に直接、あるいは、プロジェクター取付用アーム２２を介して設置すればよい。
【００３４】
その場合は、例えば、プロジェクター取付用アーム２２をスライド枠９の上部の連結杆１２に取り付けると共に、その端部にレール係動手段７、８と同様のレール係動手段２３を配設し、これを基枠材３のガイドレール５に係合させることにより、プロジェクター２１が、サブボード２０の動きに追随して移動するようにすることができる（図４参照）。もちろん、上記と同様にしてレール係動手段２３をガイドレール５に係合させた状態で、プロジェクター取付用アーム２２をスライド枠９から切り離し、独自に移動させるようにすることもできる。
【００３５】
プロジェクター取付用アーム２２は、例えば、一又は複数の屈曲部を形成して折り畳み可能にし、あるいは、途中に自在継ぎ手を有するものとし、あるいは、捩り及び湾曲が可能な資材製とする等により、適宜引き出して、プロジェクター２１の吊り下げ角度や水平旋回位置を変更することができるようにし、使用時にプロジェクター２１が、スクリーンとなるサブボード２０又はメインボード１のボード面に向くようにすることが好ましい。
【００３６】
プロジェクター２１として、ホワイトボードレコーダ機能を有するものを使用することができる。このホワイトボードレコーダ機能は、それ専用の電子マーカーペンを用いてサブボード２０等のプロジェクター映写面に筆記すると、その筆記文字や絵が、ホワイトボードレコーダ機能部を介し、電子データとしてリアルタイムにパソコンに転送・記憶され、電子データとしての利用を可能にするというものである。この種プロジェクター２１の場合のスクリーンは平坦面であれば足り、メインボード１がホワイトボードの場合はもちろん、黒板の場合であってもスクリーンとして利用可能であるので、この種プロジェクター２１は、サブボード２０のみならず、メインボード１側に設置するのにも好適である。
【００３７】
また、プロジェクター２１として一般的なものを用い、サブボード２０及び／又はメインボード１のボード面の隅部や枠部分にホワイトボードレコーダを配置することにより、サブボード２０及び／又はメインボード１に上記ホワイトボードレコーダ機能を持たせることもできる。
【００３８】
このように本発明に係る方法によれば、既設又は新設の黒板やホワイトボード等の壁面固定型のメインボード１に対し、そのメインボード１自体には何ら手を加えることなく、サブボード２０を取り付けるためのスライド枠９の施工作業を、容易且つ迅速に行うことができ、当該メインボード１に、その本来の筆記機能や掲示機能の他に、電子ボードやスクリーン機能、テレビ機能、コンピュータ・ディスプレイ機能等のインタラクティブボードとしての諸機能を付加して直ちに利用可能にすることができる。サブボード２０として、大型の液晶テレビやプラズマテレビをそのまま用いることもできる。
【００３９】
かくして、本発明に係る方法によれば、インタラクティブボード機能及び／又はテレビ機能を有するサブボード２０の付加施工を、時間とコストをかけずに実施することができ、直ちに、サブボード２０とメインボード１を適宜使い分けて使用することが可能となる。サブボード２０は、使用に際してメインボード１上の任意の位置に移動させ、最適な位置にて使用することが可能である。
【００４０】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００４１】
１          メインボード
３、４      基枠材
５、６      ガイドレール
７、８      レール係動手段
９          スライド枠
１０、１１  縦杆
１２        連結杆
１２ａ      連結板
１３、１４  後方延長杆
１５        転動ホイール
１６        ホイール軸
１９        切欠き
２０        サブボード
２１        プロジェクター
２２        プロジェクター取付用アーム
２３        レール係動手段
【図１】
2011156838.tif 000003
【図２】
2011156838.tif 000004
【図３】
2011156838.tif 000005
【図４】
2011156838.tif 000006
【図５】
2011156838.tif 000007
【図６】
2011156838.tif 000008
【図７】
2011156838.tif 000009
【図８】
2011156838.tif 000010
【図９】
2011156838.tif 000011
【手続補正書】
【提出日】平成22年2月5日(2010.2.5)
【手続補正１】
【補正対象書類名】明細書
【補正対象項目名】００１３
【補正方法】変更
【補正の内容】
【００１３】
更に一実施形態においては、前記サブボード、スライド枠、上側のガイドレール、メインボード、メインボード固定面のいずれかにプロジェクターを設置可能にする。前記プロジェクターは、インタラクティブ機能を有するものとすることができる。また、前記サブボードのボード面又は枠部分に、インタラクティブユニットを配置することもある。
【手続補正２】
【補正対象書類名】明細書
【補正対象項目名】００３６
【補正方法】変更
【補正の内容】
【００３６】
プロジェクター２１として、インタラクティブ機能を有するものを使用することができる。このインタラクティブ機能は、それ専用の電子マーカーペンを用いてサブボード２０等のプロジェクター映写面に筆記すると、その筆記文字や絵が、インタラクティブ機能部を介し、電子データとしてリアルタイムにパソコンに転送・記憶され、電子データとしての利用を可能にするというものである。この種プロジェクター２１の場合のスクリーンは平坦面であれば足り、メインボード１が単なるホワイトボードの場合はもちろん、黒板の場合であってもスクリーンとして利用可能であるので、この種プロジェクター２１は、サブボード２０のみならず、メインボード１側に設置するのにも好適である。
【手続補正３】
【補正対象書類名】明細書
【補正対象項目名】００３７
【補正方法】変更
【補正の内容】
【００３７】
また、プロジェクター２１として一般的なものを用い、サブボード２０及び／又はメインボード１のボード面の隅部や枠部分にインタラクティブユニットを配置することにより、サブボード２０及び／又はメインボード１に上記インタラクティブ機能を持たせることもできる。
【手続補正４】
【補正対象書類名】特許請求の範囲
【補正対象項目名】請求項１４
【補正方法】変更
【補正の内容】
【請求項１４】
前記プロジェクターは、インタラクティブ機能を有する、請求項１３に記載のインタラクティブボード化方法。
【手続補正５】
【補正対象書類名】特許請求の範囲
【補正対象項目名】請求項１５
【補正方法】変更
【補正の内容】
【請求項１５】
前記サブボードのボード面又は枠部分に、インタラクティブユニットを配置する、請求項１乃至１３のいずれかに記載のインタラクティブボード化方法。